(57)【要約】      （修正有）【課題】安全かみそりは、４枚刃５枚刃が出て進歩し使いやすく切れ味も良くなってきたが、これまで古くなると使い捨てが多く、勿体ない。これまで切れなくなったら捨てるしか無かったが、これを再生して永く使用出来るようにする安全かみそり研磨機を提供する。【解決手段】電池で小型ＤＣモータを作動し、研磨ローラーに床屋で使用している皮や微細な研磨材を貼り付けた紙ヤスリ、短いフェルトを植毛したローラー等を研磨ローラーに巻き付けて回転させて磨くものである。他に回転ローラーの速度を可変にしたり、洗面所などで使用するため防滴構造としたりする。【選択図】図８
2018167012.tif 000002
【特許請求の範囲】
【請求項１】
安全かみそりの切れ味を永く保持するために、電池（乾電池、充電池）を内蔵し、小型ＤＣモータを回転し、その先に磨き用皮を張ったローラーを回転し、かみそりの刃を当てる事によって磨かれ、何時までも切れ味を保持する事を特徴とした、小型で自動的な安全かみそり研磨機。
【請求項２】
小型ＤＣモータの回転を適当なスピードで回転するため、電池との間に抵抗を入れスイッチで切り替え可変出来るようにした事を特徴とする（請求項１）記載の安全かみそり研磨機。
【請求項３】
スイッチ部や電池部やモータ部などにフィルムやパッキンを具備し、防滴構造とした事を特徴とする（請求項１）記載の安全かみそり研磨機。
【請求項４】
磨きローラを簡単に交換出来るので、磨き用皮の種類や研磨材を入れたりする事が簡単に出来る構造を特徴とした（請求項１）記載の安全かみそり研磨機。
【発明の詳細な説明】
【技術分野】
【０００１】本発明は、安全かみそりを持続的に使用出来るようにするための磨き装置に関する
【背景技術】
【０００２】最近、電気かみそりの高性能化で安全かみそりが押されてきた。しかし、安全かみそりで剃ったときのツルツル感、爽快感を楽しむファンも多く、本発明は、これらの期待に応えるものである。近年、安全かみそりの技術も進んで、１枚歯から４枚歯まで出来てより緻密に剃る事ができるようになったが、後の手入れが悪かったり、時間が経つと錆びて切れなくなるなどのため新品と交換する事になり、使い捨てしていた。
【発明の開示】
【発明が解決しようとする課題】
【０００３】電気かみそりの性能向上で使用者も多くなってきたが、何と言っても高価なこと、それに時々充電する必要有り、つい忘れがちになる。又、剃って居る時の深いな音。それで、最近進歩した４枚歯の安全かみそりでは、ツルツルに成るまで剃ることが出来る。安くて良いが、放置しておくと錆びて切れなくなる。  これを、簡単な方法で磨いて再生すれば何時までも使用出来る。
【課題を解決するための手段】
【０００４】本発明は、暫く放置しておくと、錆びて切れなった安全かみそりを、簡単な方法で復活させる事である。電池（充電池等）を内蔵し、ＤＣ３Ｖで働く小型モータにプーリーとベルトにより磨きローラーを回転させ、必要なスピードに成った時、安全かみそりの歯を当てて磨く。磨きローラーには床屋で磨きに使っている皮を使用する。洗面所で使用するので、水がかかっても大丈夫なように防滴構造にする。
【発明の効果】
【０００５】本発明が実現した場合の効果は。
（１）構造が簡単、従って安価に出来る。
（２）操作が簡単、従って誰にでも出来る。
（３）洗面所や風呂場で使用するので防滴構造にし易い。
（４）小型で丈夫
（５）研磨して再使用するので、資源の無駄をはぶく（省エネ）
【発明の実施例】
【０００６】本発明の一実施例の詳細を［図１］［図２］［図３］により説明する。
［図１］において、１、は装置全体のケースでプラスチックなどで出来ている。この下部に理髪店などでかみそり磨く皮１８，を４，ローラーに巻き付けて固定する。
このローラー４，は、３，小型ＤＣモータにより１４，ベルト、１５，プーリーにより回転する。その電源は、２，充電池などで、通常３Ｖで駆動する。
［図２］は断面図で、１７，安全かみそりを研磨している状態を示し、４，ローラー（プラスチック製）に貼り付けた１８，皮に押し当て、４，ローラーが回転すれば短時間で研磨される。７，スイッチは、ＯＮ，ＯＦＦ，の他に、１０，抵抗を切り替えて電圧を可変し、回転数を変え研磨状態を変えることが出来る。
【０００７】本機は、洗面所や風呂場で使用するため、或る程度の防水構造にする必要がある。
本発明においては、電池収納部、モータの端子部、抵抗収納部、スイッチ部、を防水構造にすればよい。防水の程度は、防滴構造で十分であるため、［図３］に示す電池の防水は９，パッキングと８，蓋で押え込めばよい。その他の防水は、フィルムなどで覆うか接着材で固める。
【図面の簡単な説明】
【００８】
【図１】本発明の主要部を示す平面断面図
【図２】本発明の主要部を示す側面断面図
【図３】電池収容部の断面図
【図４】矢印Ａより見た側面図
【図５】上図の断面図
【符号の説明】
【００９】  １，ケース                        ２，電池
３，小型ＤＣモータ                ４，ローラー
５，電池ケース                    ６，端子
７，押しボタンスイッチ            ８，蓋
９，ゴムパッキン                １０，小形固定抵抗
１１，抵抗カバー                  １２，モータカバー
１３，駆動プーリー                １４，駆動ベルト
１５，プーリー                    １６，軸受
１７，安全かみそり                １８，磨き皮
【図１】
2018167012.tif 000003
【図２】
2018167012.tif 000004
【図３】
2018167012.tif 000005
【図４】
2018167012.tif 000006
【図５】
2018167012.tif 000007
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
安全かみそりの切れ味を永く持続するために、電池（乾電池、充電池）を内蔵し、小型ＤＣモータにより研磨用皮紙等を張ったローラーを回転し、安全かみそりの刃を当てる事によって磨かれ、長く元の切れ味を保持する事を特徴とした、小型な電動安全かみそり研磨機。
【請求項２】
小型ＤＣモータの回転を適当なスピードに可変するための回路を有し、スイッチで外部から簡単に操作出来るようにした事を特徴とする（請求項１）記載の安全かみそり研磨機。
【請求項３】
スイッチ部や電池部やモータ部などをフィルムやパッキン等によって、防滴構造とした事を特徴とする（請求項１）記載の安全かみそり研磨機。
【請求項４】
磨きローラーを簡単に交換出来る構造とし、安全かみそりの状態により使い分け出来る事を特徴とした（請求項１）記載の安全かみそり研磨機。
【請求項５】
基板に全ての内部構造部品を嵌め込み式組立とし、ケースに入れロックするだけでネジ類一本も使用せず組立を簡素化した事を特徴とする（請求項１）記載の安全かみそり研磨機。
【請求項６】
本発明装置の底面に吸盤を装備し、洗面所の鏡の下などに簡単に固定して使用するようにした事を特徴とする（請求項１）記載の安全かみそり研磨機。
【請求項７】
本発明装置の上面に歯ブラシ等を固定し、研磨前後の安全かみそりを掃除するようにした事を特徴とする（請求項１）記載の安全かみそり研磨機。
【手続補正書】
【提出日】平成29年10月10日(2017.10.10)
【手続補正１】
【補正対象書類名】明細書
【補正対象項目名】全文
【補正方法】変更
【補正の内容】
【発明の詳細な説明】
【技術分野】
【０００１】本発明は、安全かみそりを持続的に使用出来るようにするための研磨装置に関する。
【背景技術】
【０００２】最近、電気かみそりの高性能化で安全かみそりが押されてきた。しかし、安全かみそりで剃ったときのツルツル感、爽快感を楽しむファンも多く（特に女性に多い）、本発明は、これらの期待に応えるものである。近年、安全かみそりの技術も進んで、１枚歯から４枚５枚刃まで出来て、より緻密に剃る事ができるようになったが、後の手入れが悪かったり、時間が経つと錆びて切れなくなるなどのため新品と交換する事になり、多くは使い捨てにしていた。
【発明の開示】
【発明が解決しようとする課題】
【０００３】電気かみそりの性能向上で使用者も多くなってきたが、何と言っても高価なこと、それに時々充電する必要有り、つい忘れがちになる。又、剃って居る時の不快な音。などから、安全かみそり派は多い。それに女性の細い髪や髭などは安全かみそりが使いやすい。最近安全かみそりも進歩して４枚刃５枚刃が出来てツルツルになるまで安全に剃る事が出来る。安くて良いが、放置しておくと錆びて切れなくなり、捨てる事になる。大変勿体ない事である。
【課題を解決するための手段】
【０００４】本発明は、このような課題を解決するために、簡単な方法で再生させる事である。
電池（充電池等）を内蔵し、ＤＣ３Ｖで働く小型モータにプーリーとベルトにより磨きローラーを回転させ、必要なスピードに成った時、安全かみそりの歯を当てて磨く。
磨きローラーには床屋で磨きに使っている皮やフェルトに研磨剤をしみこませたものや極細目の紙ヤスリなどを巻き付けて使用する。このローラーは、簡単に取り替えが出来るような構造にした。
洗面所で使用するので、水がかかっても大丈夫なように防滴構造にする。又、安定するように底面に吸盤を取り付け洗面台に貼り付けて安定させる。
電源スイッチは、プシュＯＮ，プシュＯＦＦ型を上面に取り付ける。又、上面には、歯ブラシのように植毛したブラッシを取り付け、研磨前や研磨後に汚れを拭き取る。
【発明の効果】
【０００５】本発明が実現した場合の効果は。
（１）構造が簡単、従って安価に出来る。
（２）操作が簡単、従って誰にでも出来る。
（３）洗面所や風呂場で使用するので防滴構造とした。
（４）小型で軽いので壊れにくい。
（５）研磨して再使用するので、資源の無駄をはぶく（省エネ）
【発明の実施例】
【０００６】本発明の一実施例の詳細を［図１］〜［図６］により説明する。
［図１］は、本発明の主要部を示す平面図であり、１、ケースに収納してある。先ず、４、研磨ローラーで、これを矢印の方向に必要な速度に回転し、１７、安全かみそりの刃を押しつけて研磨するものである。２３、研磨皮紙には、床屋で使用する柔らかい皮やフェルトに微細な研磨剤をしみこませた布状のもの、又は、極微細な粒子のサンドペーパーなどを貼り付け、４、ローラーは簡単に交換出来る構造とした。
それは、４，ローラーの２１，軸が［図５］［図６］に示すごとく、５，組立基板の５Ａ、突起があり、その溝部に２２，軸受に２１ローラー軸と１５，プーリー、を組み立てた状態で前から嵌め込む。４，ローラーと１５，プーリーは一体となっており、３，小型ＤＣモータの１３，駆動プーリーと１４，駆動ベルトと繋がっており４，研磨ローラーが回転する。
【０００７】３，小型ＤＣモータは１２，モータホルダーで固定される、それは板バネで出来ておりベルトの横からの張力には問題ない。１４，駆動ベルトは多少伸縮性があり、４，ローラーを引っ張り込んでいる為外れない。又、４，ローラーは糸巻きのように空洞に成っておりプラスチックで出来ている為、軽い。
２，電池は、３ＶＤＣとし乾電池や充電池とし防水上内部に閉じこめる。１０，回路基板は雑音防止や電源制御を行う。従って、これも水を被らないように２４，防水カバーで覆う。５，組立基板で内部の部品は、この５，組立基板に嵌め込み式に組み立てられる。７，電源スイッチは、プッシュＯＮ，プッシュＯＦＦ型とする。
２０，吸盤で、洗面台の端に取り付け安定して研磨出来るようにした。
６，ブラッシは歯磨きブラッシと同じようなものを取り付け、研磨前後に安全かみそりの汚れを落とす。
又、組立の簡略化のため、嵌め込み式とし、ネジ一本も使用していない。
【図面の簡単な説明】
【０００８】
【図１】本発明の主要部を示す平面断面図
【図２】本発明の主要部を示す側面断面図
【図３】研磨ローラー正面図
【図４】同上側面図
【図５】組立基板の軸受部の側面図
【図６】同上側面断面図
【符号の説明】
【０００９】  １，ケース                        ２，電池
３，小型ＤＣモータ                ４，研磨ローラー本体
５，組立基板                      ６，ブラッシ
７，電源スイッチ                  ８，蓋
９，ゴムパッキン                １０，回路基板
１１，回路部品                    １２，モータホルダー
１３，駆動プーリー                １４，駆動ベルト
１５，プーリー                    １６，軸受
１７，安全かみそり                １８，洗面台
２０，吸盤                        ２１，ローラー軸
２２，軸受                        ２３，研磨皮紙
２４，防水カバー
【手続補正書】
【提出日】平成29年10月10日(2017.10.10)
【手続補正１】
【補正対象書類名】図面
【補正対象項目名】全図
【補正方法】変更
【補正の内容】
【図１】
2018167012.tif 000008
【図２】
2018167012.tif 000009
【図３】
2018167012.tif 000010
【図４】
2018167012.tif 000011
【図５】
2018167012.tif 000012
【図６】
2018167012.tif 000013
【手続補正書】
【提出日】平成30年5月15日(2018.5.15)
【手続補正１】
【補正対象書類名】明細書
【補正対象項目名】全文
【補正方法】変更
【補正の内容】
【発明の詳細な説明】
【技術分野】
【０００１】本発明は、安全かみそりや電動かみそりを持続的に使用出来るようにするための研磨装置に関する。
【背景技術】
【０００２】最近、電気かみそりの高性能化で安全かみそりが押されてきた。しかし、安全かみそりで剃ったときのツルツル感、爽快感を楽しむファンも多く（特に女性に多い）、本発明は、これらの期待に応えるものである。近年、安全かみそりの技術も進んで、１枚歯から４枚５枚刃まで出来て、より緻密に剃る事ができるようになったが、後の手入れが悪かったり、時間が経つと錆びて切れなくなるなどのため新品と交換する事になり、多くは使い捨てにしていた。
電動式かみそりも切れ味が悪くなった時は、廃棄処分せざるを得なかった。
【発明の開示】
【発明が解決しようとする課題】
【０００３】最近、安全かみそりも進歩し、４枚刃、５枚刃等出て、ツルツルになるまで安全に剃る事ができ、安価で購入出来るので安全かみそり派が多いが、放置しておくと錆びて切れなくなり捨てる事になり勿体ない事である。
電気かみそりの性能向上で使用者も多くなってきたが、何と言っても高価なこと、それに時々充電する必要有り、つい忘れがちになる。又、剃って居る時の不快な音、再生出来ないなどから、結果として高価につく、
【課題を解決するための手段】
【０００４】本発明は、このような課題を解決するために、簡単な方法で再生させる事である。
電池（充電池等）を内蔵し、ＤＣ３Ｖで働く小型モータにプーリーとベルトにより研磨ローラーを回転させ、必要なスピードに成った時、安全かみそりの歯を当てて磨く。研磨ローラーには床屋で磨きに使っている皮や微細な研磨材を塗布したサンドペーパーや短いフェルトを植毛したものに研磨剤をしみこませたものを使用する。
このローラーは、簡単に取り替えが出来るような構造にした。洗面所で使用するので、水がかかっても大丈夫な防滴構造にする。又、底面に吸盤を取り付け洗面台に貼り付けて安定させる。電源スイッチは、プシュＯＮ，プシュＯＦＦ型を上面に取り付ける。
【発明の効果】
【０００５】本発明が実現した場合の効果は。
（１）構造が簡単、従って安価に出来る。
（２）操作が簡単、従って誰にでも出来る。
（３）洗面所や風呂場で使用するので防滴構造とした。
（４）小型で軽いので壊れにくい。
（５）研磨して再使用するので、資源の無駄をはぶく（省エネ）
（６）安全かみそりと電気かみそりの両方に対応出来る。
【発明の実施例】
【０００６】本発明の一実施例の詳細を（図１）〜（図１０）により説明する。
（図１）は、本発明の主要部を示す平面図であり、１、ケースに収納してある。先ず、４、研磨ローラーで、これを矢印の方向に必要な速度に回転し、１７、安全かみそりの刃を押しつけて研磨するものである。２３、研磨皮紙には、床屋で使用する柔らかい皮やフェルトに微細な研磨剤をしみこませた布状のもの、又は、極微細な粒子のサンドペーパーなどを貼り付け、４、ローラーは簡単に交換出来る構造とした。それは、４，ローラーの２１，軸が（図５）（図６）に示すごとく、５，組立基板の５Ａ、突起があり、その溝部に２２，軸受に２１ローラー軸と１５，プーリー、を組み立てた状態で前から嵌め込む。４，ローラーと１５，プーリーは一体となっており、３，小型ＤＣモータの１３，駆動プーリーと１４，駆動ベルトと繋がっており４，研磨ローラーが回転する。
【０００７】３，小型ＤＣモータは１２，モータホルダーで固定される、それは板バネで出来ておりベルトの横からの張力には問題ない。１４，駆動ベルトは多少伸縮性があり、４，研磨ローラーを引っ張り込んでいる為外れない。又、４，研磨ローラーは糸巻きのように空洞に成っておりプラスチックで出来ている為、軽い。
２，電池は、３ＶＤＣとし乾電池や充電池とし防水上内部に閉じこめる。１０，回路基板は雑音防止や電源制御を行う。従って、これも水を被らないように２４，防水カバーで覆う。５，組立基板で内部の部品は、この５，組立基板に嵌め込み式に組み立てられる。７，電源スイッチは、プッシュＯＮ，プッシュＯＦＦ型とする。
２０，吸盤で、洗面台の端に取り付け安定して研磨出来るようにした。
６，ブラッシは歯磨きブラッシと同じようなものを取り付け、研磨前後に安全かみそりや電動ひげそりの汚れを落とす。
又、組立の簡略化のため、嵌め込み式とし、ネジは一本も使用しない。
【０００８】（図７）は４，研磨ローラーを２ツ持つもので反対側に２５，第二研磨ローラーで、３，ＤＣモータに１３，スピンドルプーリーを１３Ａと２個取り付け２５，研磨ローラーの１５Ａのプーリー二は１回捻って４，と逆転する様に取り付ける。
２５，研磨ローラーは電動かみそり専用としても良い。又、４，研磨ローラーは研磨用とし、２５，研磨ローラーは仕上げ用として使用しても良い。
（図９）（図１０）は電動かみそりの磨き方を説明し、２９，は電動かみそりの振動刃で、これを固定するため３０，アダプターを使用し、刃が動かないように固定する。３０，アダプターはプラスチック製等で軽くする。
【図面の簡単な説明】
【０００９】
【図１】本発明の主要部を示す平面断面図
【図２】本発明の主要部を示す側面断面図
【図３】研磨ローラー正面図
【図４】同上側面図
【図５】組立基板の軸受部の側面図
【図６】同上側面断面図
【図７】研磨ローラーを複数装備した平面図
【図８】同上側面断面図
【図９】電動かみそりの研磨用アダプター研磨図
【図１０】同上の為のアダプター構造を示す斜視図
【符号の説明】
【００１０】    １，ケース                        ２，電池
３，小型ＤＣモータ                ４，研磨ローラー
５，組立基板                      ６，ブラッシ
７，電源スイッチ                  ８，蓋
１０，回路基板
１１，回路部品                    １２，モータホルダー
１３，駆動プーリー                １４，駆動ベルト
１５，プーリー                    １６，軸受
１７，安全かみそり                １８，洗面台
２０，吸盤                        ２１，ローラー軸
２２，軸受                        ２３，研磨皮紙
２４，防水カバー                  ２５，第２研磨ローラー
２６，防水シール                  ２７，電動かみそり本体
２８，バイブレーシヨン発信部      ２９，電動刃
３０，研磨用アダプター
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
安全かみそりや電気かみそりの切れ味を回復し永く持続するために、電池（充電池等）を内蔵し、小型ＤＣモータにより研磨用皮紙等を張ったローラーを回転し、この表面に刃を当てる事によって磨かれ、長く元の切れ味を保持し、使い捨てにしない経済的な構造を有した事を特徴とした、小型電動式かみそり研磨装置。
【請求項２】
小型ＤＣモータ１台により回転する２個の研磨ローラーを持ち、一つは、安全かみそり用もう一つは電気かみそり用として使用するか、一つは研磨用もう一つは仕上げ用として使用出来るよう研磨用ローラーの表面を変える事が出来る構造とした請求項１記載の小型電動式かみそり研磨装置。
【請求項３】
電気かみそりを研磨する場合には振動する刃を固定するためにアダプターを取り付ける事によって研磨可能にした事を特徴とした請求項１記載の小型電動式かみそり研磨装置。
【請求項４】
内部部品を嵌め込み式構造とし、ネジ一本も使用しないで組み立てられる構造とした請求項１記載の小型電動式かみそり研磨装置。
【請求項５】
研磨ローラーの回転速度を可変にしたり、使用する場所を考慮し防滴構造にした事を特徴とした請求項１記載の小型電動式かみそり研磨装置。
【手続補正書】
【提出日】平成30年5月15日(2018.5.15)
【手続補正１】
【補正対象書類名】図面
【補正対象項目名】全図
【補正方法】変更
【補正の内容】
【図１】
2018167012.tif 000014
【図２】
2018167012.tif 000015
【図３】
2018167012.tif 000016
【図４】
2018167012.tif 000017
【図５】
2018167012.tif 000018
【図６】
2018167012.tif 000019
【図７】
2018167012.tif 000020
【図８】
2018167012.tif 000021
【図９】
2018167012.tif 000022
【図１０】
2018167012.tif 000023